(57)【要約】【課題】  被検眼に負担を掛けることなく、撮影時の照明光量を適正に設定して良好な眼底画像を得ることができる眼底カメラを提供すること。【解決手段】  可視光及び赤外光を含む照明光を発する撮影用照明光源を持ち，該撮影用照明光源からの照明光を被検眼眼底に照射する撮影照明光学系と、該撮影照明光学系の照明光により照明された被検眼眼底を撮影する撮影光学系と、前記撮影照明光学系の光路に設けられ，撮影時に光路から外される可視光をカットする赤外フィルタと、該赤外フィルタが撮影照明光学系の光路に配置された状態で前記撮影用照明光源をテスト発光させるテスト発光手段と、該テスト発光手段のテスト発光による被検眼眼底からの赤外反射光を前記撮影光学系の少なくとも一部を介して受光素子に受光させる受光光学系と、前記受光素子の出力に基づいて撮影時の前記撮影用照明光源による照明光量を制御する制御手段と、を備える。【選択図】      図７
2005279154.tif 000002
【特許請求の範囲】
【請求項１】
可視光及び赤外光を含む照明光を発する撮影用照明光源を持ち，該撮影用照明光源からの照明光を被検眼眼底に照射する撮影照明光学系と、該撮影照明光学系の照明光により照明された被検眼眼底を撮影する撮影光学系と、前記撮影照明光学系の光路に設けられ，撮影時に光路から外される可視光をカットする赤外フィルタと、該赤外フィルタが撮影照明光学系の光路に配置された状態で前記撮影用照明光源をテスト発光させるテスト発光手段と、該テスト発光手段のテスト発光による被検眼眼底からの赤外反射光を前記撮影光学系の少なくとも一部を介して受光素子に受光させる受光光学系と、前記受光素子の出力に基づいて撮影時の前記撮影用照明光源による照明光量を制御する制御手段と、を備えることを特徴とする眼底カメラ。
【請求項２】
請求項１の眼底カメラは、被検眼前眼部に対するアライメント状態を検出するアライメント検出手段と、被検眼眼底に対する前記撮影光学系のフォーカス状態を検出するフォーカス検出手段とを備え、前記テスト発光手段は、前記アライメント検出手段及びフォーカス検出手段の検出結果に基づいて前記撮影用照明光源をテスト発光させることを特徴とする眼底カメラ。
【請求項３】
請求項１の眼底カメラにおいて、前記撮影光学系は可視域と赤外域の感度を持つ撮像素子を備え、該撮像素子を前記受光素子として使用したことを特徴とする眼底カメラ。
【発明の詳細な説明】
【技術分野】
【０００１】
本発明は、被検眼眼底を撮影する眼底カメラに関する。
【背景技術】
【０００２】
眼底カメラでは、撮影に先立って撮影光源の撮影光量の設定を行い、眼底に赤外光を投光して眼底からの反射光をカメラで観察した後に、撮影光源から可視光の撮影光を眼底に投光し、眼底の撮影を行っている。（例えば、特許文献１参照）。
【特許文献１】特開２００１−２７５９８０号
【発明の開示】
【発明が解決しようとする課題】
【０００３】
しかしながら、撮影時に眼底からの反射光が強いと撮影像が明るくなりすぎてしまい、また逆に眼底からの反射光が弱いと撮影像が暗くなってしまう。そのため、撮影光量を検者が調節し、適正な眼底画像が得られるまで撮影を繰り返していたため、検者に負担が掛かっていた。また、被検眼に何度も撮影用の可視光を照射することは被検眼の負担となり、被検眼は撮影毎に眩しい思いをしなければならなかった。
【０００４】
本発明は、上記従来技術に鑑み、被検眼に負担を掛けることなく、撮影時の照明光量を適正に設定して良好な眼底画像を得ることができる眼底カメラを提供することを技術課題とする。
【課題を解決するための手段】
【０００５】
（１）  可視光及び赤外光を含む照明光を発する撮影用照明光源を持ち，該撮影用照明光源からの照明光を被検眼眼底に照射する撮影照明光学系と、該撮影照明光学系の照明光により照明された被検眼眼底を撮影する撮影光学系と、前記撮影照明光学系の光路に設けられ，撮影時に光路から外される可視光をカットする赤外フィルタと、該赤外フィルタが撮影照明光学系の光路に配置された状態で前記撮影用照明光源をテスト発光させるテスト発光手段と、該テスト発光手段のテスト発光による被検眼眼底からの赤外反射光を前記撮影光学系の少なくとも一部を介して受光素子に受光させる受光光学系と、前記受光素子の出力に基づいて撮影時の前記撮影用照明光源による照明光量を制御する制御手段と、を備えることを特徴とする。
【０００６】
（２）  （１）の眼底カメラは、被検眼前眼部に対するアライメント状態を検出するアライメント検出手段と、被検眼眼底に対する前記撮影光学系のフォーカス状態を検出するフォーカス検出手段とを備え、前記テスト発光手段は、前記アライメント検出手段及びフォーカス検出手段の検出結果に基づいて前記撮影用照明光源をテスト発光させることを特徴とする。
【０００７】
（３）  （１）の眼底カメラにおいて、前記撮影光学系は可視域と赤外域の感度を持つ撮像素子を備え、該撮像素子を前記受光素子として使用したことを特徴とする。
【発明の効果】
【０００８】
本発明によれば、被検眼に負担を掛けることなく、撮影時の照明光量を適正に設定して良好な眼底画像を得ることができる。
【発明を実施するための最良の形態】
【０００９】
以下、本発明の実施の形態を図面に基づいて説明する。図１は本発明に係る無散瞳型の眼底カメラの構成図である。
【００１０】
眼底カメラは、基台１と、基台１に対してジョイスティック４の移動操作により左右方向（Ｘ方向）及び前後方向（Ｚ方向）に移動可能な移動台２と、移動台２に対して左右・上下・前後方向（Ｚ方向）にそれぞれ三次元移動可能に設けられた撮影部３と、被検者の顔を支持するために基台１に固設された顔支持ユニット５を備える。６は撮影部３を上下方向に移動するＹ駆動部であり、７は撮影部３を左右前後に移動するＸＺ駆動部である。ＸＺ駆動部７は、Ｙテーブルの上にＺ方向に移動可能なＺテーブルを配置し、Ｚテーブルの上にＸ方向に移動可能なＸテーブルを配置し、Ｘテーブルの上に撮影部３を配置し、Ｚテーブル及びＸテーブルをそれぞれモータ駆動することにより撮影部３をＸＹ方向に移動する。Ｙ駆動部６はＹテーブルをモータにより上下駆動することにより、撮影部３をＹ方向に移動する。この種の三次元駆動機構は周知の機構とすることができる。なお、撮影部３はジョイスティック４の回転操作によりＹ駆動部６が作動し、上下移動する。撮影部３の検者側には観察像や撮影像を表示するモニタ８が設けられている。
【００１１】
図２は、撮影部３に収納される光学系及び制御系の概略構成図である。光学系は、照明光学系１０、眼底観察・撮影光学系３０、フォーカス指標投影光学系４０、アライメント指標投影光学系５０、前眼部観察光学系６０、固視標光学系７０から大別構成されている。
【００１２】
照明光学系１０は、観察照明光学系と撮影照明光学系を有する。撮影照明光学系は、フラッシュランプ等の撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。また、観察照明光学系は、ハロゲンランプ等の光源１１、コンデンサレンズ１３、ダイクロイックミラー１６、リングスリット１７から対物レンズ２５までの光学系を有する。ダイクロイックミラー１６は、赤外光を反射し可視光を透過する特性を持つ。また、波長７５０ｎｍ以上の近赤外光を透過する赤外フィルタ１２がダイクロイックミラー１６とリングスリット１７の間に挿脱可能に配置されている。赤外フィルタ１２の挿脱は、ソレノイド２６によって行われる。
【００１３】
眼底観察・撮影光学系３０は、対物レンズ２５、孔あきミラー２２の開口近傍に位置する撮影絞り３１、光軸方向に移動可能なフォーカシングレンズ３２、結像レンズ３３、赤外光反射、可視光透過の特性を有するダイクロイックミラー３４を備え、撮影光学系と眼底観察光学系は対物レンズ２５と撮影絞り３１から結像レンズ３３までの光学系を共用する。撮影絞り３１は対物レンズ２５に関して被検眼Ｅの瞳孔と略共役な位置に配置されている。フォーカシングレンズ３２は、モータを備える移動機構３９により光軸方向に移動される。ダイクロイックミラー３４の透過方向には、赤外、可視域に感度を有する撮影用のカラーＣＣＤカメラ３５が配置されている。ダイクロイックミラー３４の反射方向の光路には、赤外反射、可視光透過のダイクロイックミラー３７、リレーレンズ３６、赤外域に感度を有する観察用ＣＣＤカメラ３８が配置されている。
【００１４】
また、対物レンズ２５と孔あきミラー２２の間には、光路分岐部材としての挿脱可能なダイクロイックミラー（波長選択性ミラー）２４が斜設されており、さらにダイクロイックミラー２４と孔あきミラーの２２の間には、ダイクロイックミラー２４による光軸ずれを補正するための平行板ガラス２３が挿脱可能に斜設されている。ダイクロイックミラー２４は、アライメント指標投影光学系５０及び前眼部照明光源５８の波長光（中心波長９４０ｎｍ）を反射し、観察用照明の波長光及びフォーカス指標投影光学系４０等の光源波長（中心波長８８０ｎｍ）を含む波長９００ｎｍ以下を透過する特性を有する。平行板ガラス２３は、ダイクロイックミラー２４とほぼ同じ厚さで、かつほぼ同じ屈折率を有する。また、図３に示すように、ダイクロイックミラー２４と平行板ガラス２３は、眼底観察・撮影光学系の光軸Ｌ１に対して対照に同じ傾斜角度θを有するように配置されている。撮影時には、ダイクロイックミラー２４と平行板ガラス２３は挿脱機構６６により連動して跳ね上げられ、光路外に退避する。挿脱機構６６は、ソレノイドとカム等により構成することができる。
【００１５】
フォーカス指標投影光学系４０は、赤外光源４１、スリット指標板４２、このスリット指標板４２に取り付けられた２つの偏角プリズム４３、照明光学系１０の光路に斜設されたハーフミラー４４を備える。光源４１、スリット指標板４２は、フォーカシングレンズ３２と連動して移動機構３９により光軸方向に移動される。
【００１６】
フォーカス指標投影光学系４０のスリット指標板４２の光束は、偏角プリズム４３を介してハーフミラー４４により反射された後、リレーレンズ２１、孔あきミラー２２、平行板ガラス２３、ダイクロイックミラー２４、対物レンズ２５を経て被検眼Ｅの眼底に投影される。眼底のフォーカスが合っていないとき、スリット指標板４２の指標像は分離され、フォーカスが合っているときに一致して投影される。
【００１７】
アライメント指標投影光学系５０は、対物レンズ２５の光軸を中心に左右対称に配置された２組の第１指標投影光学系と、この第１指標投影光学系より狭い角度に配置された光軸を持ち光軸Ｌ１が通る垂直平面を挟んで左右対称に配置された２組の第２指標投影光学系を備える。２組の第１指標投影光学系は、中心波長９４０ｎｍの赤外光を発する光源５１、コリメーティングレンズ５２をそれぞれ持ち、略平行光束の光により被検眼に無限遠の視標を投影する。一方、２組の第２指標投影光学系は、中心波長９４０ｎｍの赤外光を発する光源５３を持ち、発散光束により被検眼に有限遠の視標を投影する。なお、図２の光学系は側面から見たときのものを示すが、アライメント指標投影光学系５０は実際には左右方向に配置されたものである。図４（ａ），（ｂ）は、このアライメント指標投影光学系５０により前眼部像Ｆに形成される指標像の状態を示しており、指標像Ｍａ，Ｍｂは第１指標投影光学系（光源５１及びコリメーティングレンズ５２）による無限遠の指標像であり、指標像Ｍｃ，Ｍｄは第２指標投影光学系（光源５３）による有限遠の指標像である。指標像Ｍｃ，Ｍｄは、指標像Ｍａ，Ｍｂよりも下側に形成されるように、その第２指標投影光学系が構成されている。
【００１８】
前眼部観察光学系６０は、ダイクロイックミラー２４の反射側に、フィールドレンズ６１、ミラー６２、絞り６３、リレーレンズ６４、赤外域の感度を持つＣＣＤカメラ６５を備える。また、ＣＣＤカメラ６５はアライメント指標の検出手段を兼ね、中心波長９４０ｎｍの赤外光を発する前眼部照明光源５８により照明された前眼部とアライメント指標が撮像される。
【００１９】
固視標呈示光学系７０は、赤色の光源７４、開口穴が形成された８個の固視標７１を持つ視標板７２、リレーレンズ７５を備え、ダイクロイックミラー３４を介してダイクロイックミラー３４から対物レンズ２５までの観察光学系３０の光路を共用する。固視標７１は、右眼の後極部付近を撮影中心に導く開口穴を持つもの、左眼の後極部付近を撮影中心に導く開口穴を持つもの、周辺部を撮影するように視線を導く開口穴を持つもので構成されており、モータ７３により各固視標７１が選択的に光源７４の前に配置される。
【００２０】
上記の光学系において、前眼部照明光源５８により照明された前眼部は、対物レンズ２５、ダイクロイックミラー２４及びフィールドレンズ６１からリレーレンズ６４の光学系を介してＣＣＤカメラ６５に受光される。また、観察用の光源１１を発した光束は、コンデンサレンズ１３１５を経た後、赤外フィルタ１２の挿入により赤外光束とされ、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、平行板ガラス２３、ダイクロイックミラー２４を透過し、対物レンズ２５により被検眼Ｅの瞳孔付近で一旦収束した後、拡散して被検眼眼底部を照明する。
【００２１】
観察照明光で照明された眼底からの反射光は、対物レンズ２５、ダイクロイックミラー２４、平行板ガラス２３、孔あきミラー２２の開口部、撮影絞り３１、フォーカシングレンズ３２、結像レンズ３３、ダイクロイックミラー３４、ダイクロイックミラー３７、リレーレンズ３６を介してＣＣＤカメラ３８に結像する。このとき、図３に示しすように、眼底観察・撮影光学系の光軸Ｌ１は、ダイクロイックミラー２４が挿入されていることにより偏位した光軸Ｌ１ａとなるが、平行板ガラス２３の配置によりその偏位が戻される。このため、ＣＣＤカメラ６５による前眼部の撮像とＣＣＤカメラ３８による眼底の撮像とが、同時に良好に行えるようになる。
【００２２】
撮影時、撮影用照明光源１４を発した光束は、コンデンサレンズ１５を経た後、観察用照光束と同様な光路を経て被検眼眼底を照明する。眼底を撮影する場合、ソレノイド２６の駆動により赤外フィルタ１２は光路外へ退避される。また、ダイクロイックミラー２４と平行板ガラス２３は挿脱機構６６により光路外に退避され、撮影用照明光で照明された眼底からの反射光は、対物レンズ２５、孔あきミラー２２、撮影絞り３１、フォーカシングレンズ３２、ダイクロイックミラー３４を経て、撮影用のＣＣＤカメラ３５に結像する。なお、ＣＣＤカメラ３５が観察用のカメラを兼用する構成とすることも可能である。
【００２３】
ＣＣＤカメラ６５、３８、３５の出力は画像処理部８０に接続されている。画像処理部８０はＣＣＤカメラ６５に撮像された前眼部の画像からアライメント指標を検出処理し、ＣＣＤカメラ３８に撮像された眼底画像からフォーカス指標を検出処理する。また、画像処理部８０はモニタ８に接続され、その表示画像を制御する。制御部８１には画像処理部８０、Ｙ駆動部６、ＸＺ駆動部７、ジョイスティック４、移動機構３９、挿脱機構６６、モータ７３、撮影スイッチ８３、各光源等が接続されている。
【００２４】
上記のような構成を持つ装置の動作を図７のフローチャートを用いて説明する。まず、制御部８１は、挿脱機構６６によりダイクロイックミラー２４と平行板ガラス２３を眼底観察・撮影光学系３０の光路に挿入する。また、制御部８１は、ソレノイド２６により赤外フィルタ１２を照明光学系１０の光路に挿入する。前眼部照明光源５８により照明された前眼部は、対物レンズ２５、ダイクロイックミラー２４及びフィールドレンズ６１からリレーレンズ６４の光学系を介してＣＣＤカメラ６５により受光され、モニタ８にはＣＣＤカメラ６５に撮像された前眼部像が表示される。検者は、モニタ８に表示された前眼部像を観察し、ジョイスティック４の操作により撮影部３を被検眼に対して粗くアライメント調整する。前眼部像がモニタ８に現われるようになると、図４（ａ）に示すように、４つの指標像Ｍａ，Ｍｂ，Ｍｃ，Ｍｄも現われるようになる。なお、図５において、Ｎａ，Ｎｂ，Ｎｃ，Ｎｄはそれぞれライン状のレチクルマークであり、Ｎｅは撮影に必要な瞳孔径を示すリングマークであり、これらは画像処理部８０により電気的に形成されたものである。図５（ｂ）に示すように、このレチクルマークＮａ，Ｎｂ，Ｎｃ，Ｎｄにそれぞれの指標像Ｍａ，Ｍｂ，Ｍｃ，Ｍｄが位置するように、撮影部３を左右上下に移動する。また、前後方向（作動距離方向）は、指標像のピントを合わせるように撮影部３を移動させる。
【００２５】
ＣＣＤカメラ６５で撮像された４つの指標像Ｍａ〜Ｍｄが画像処理部８０により検出されるようになると、制御部８１はこれらの指標像に基づいてアライメント基準に対する偏位量を求める。制御部８１は、図５に示すように、指標像Ｍａ，Ｍｂの中間位置を角膜頂点位置Ｍｏとして、ＸＹ方向のアライメント基準位置Ｏに対する偏位量Δｄを求める。そして、この偏位量Δｄがアライメント完了の許容範囲Ａに入るように、ＸＺ駆動部７及びＹ駆動部６の駆動制御により、自動アライメントをする。
【００２６】
また、Ｚ方向のアライメント状態は、指標像Ｍａ，Ｍｂの間隔と指標像Ｍｃ，Ｍｄの間隔とを比較することにより検出される。これは、無限遠光源と有限遠光源とにより角膜反射像を形成した場合、作動距離が変化しても無限遠の光源による角膜反射像の像高さは変化しないが、有限遠光源による像高さは作動距離の変化に伴って変化するという特性を利用するものである（この詳細は特開平６−４６９９９号公報参照）。Ｚ方向についても、図５と同じ考えで、Ｚ方向のアライメント基準位置に対する偏位量を求め、その偏位量がアライメント完了の許容範囲Ａに入るようにＸＺ駆動部７の駆動制御により、自動アライメントをする。
【００２７】
アライメント完了の条件Ａを満足すると、モニタ８の表示画像が前眼部像から眼底像に自動的に切換えられる。
【００２８】
図６は、ＣＣＤカメラ３８で撮像される眼底像の例であり、眼底像の中心にフォーカス視標投影光学系４０によるフォーカス指標像Ｓ１、Ｓ２が投影されている。本装置では、図２に示した光学系により、前眼部観察光学系によるアライメント検出の検出に加えて、眼底観察光学系によるフォーカス検出が同時に可能である。フォーカス指標像Ｓ１，Ｓ２は、フォーカスが合っていないときには分離され、フォーカスが合っているときに一致して投影される。フォーカス合わせは検者の操作により手動でも可能であるが、本装置ではオートフォーカス機構となっている。フォーカス指標像Ｓ１，Ｓ２は、画像処理部８０により検出処理され、その分離情報が制御部８１に送られる。制御部８１はフォーカス指標象Ｓ１，Ｓ２の分離情報を基に、両者が一致する（分離量が許容範囲に入る）ように移動機構３９を駆動制御して眼底のフォーカス合わせを行う。
【００２９】
アライメント、フォーカス合わせの条件が満足されると、制御部８１は撮影光源１４をテスト発光する。撮影光源１４のテスト発光により、波長７５０ｎｍ以上の近赤外光を透過する赤外フィルタ１２を通過した近赤外光は、眼底を照明する。眼底からの近赤外反射光は対物レンズ２５、ダイクロイックミラー２４、平行板ガラス２３、孔あきミラー２２の開口部、撮影絞り３１、フォーカシングレンズ３２、結像レンズ３３、ダイクロイックミラー３４を経てＣＣＤカメラ３５に結像する。ＣＣＤカメラ３５は赤外にも感度を有するものであるので、眼底からの近赤外反射光はＣＣＤカメラ３５で受光され、画像処理部８０に送られる。画像処理部８０では、近赤外の眼底画像から画面全体の平均光量が演算され、制御部８１に送られる。
【００３０】
また、メモリ９には、予め、赤外フィルタ１２を光路から外し、撮影光源１４の光量（電圧）を適宜変えて、撮影光源１４の可視光による眼底反射光をＣＣＤカメラ３５で撮影し、撮影画面の明暗が適正となる光量（電圧）が、種々の眼底に対してＣＣＤカメラ３５で受光した平均光量と共に記憶されている。このＣＣＤカメラ３５で受光した平均光量は、撮影画面の明暗が適正となった時と同じ撮影光源１４の発光量で撮影光源１４から発光した光が赤外フィルタ１２を通過し、眼底で反射した反射光をＣＣＤカメラ３５で受光した平均光量である。
【００３１】
制御部８１は、画像処理部８０から送られた平均光量をメモリ９に記憶されている平均光量の中から一番近いものを選び、それに対応した撮影光源１４の光量（電圧）を設定する。また、メモリ９に記憶されている平均光量と撮影光源１４の光量（電圧）の関係を近似式にして、画像処理部８０から送られた平均光量に対する撮影光源１４の光量（電圧）をその近似式から求め、設定してもよい。
【００３２】
また、撮影光源１４の光量の設定としては、ＣＣＤカメラ３５で受光した眼底画像全体の平均光量を測定光量としているが、これに限定されるものではなく、眼底画像の中央部や特定領域の光量であっても良い。また、上記では平均光量を測定光量としているが、平均光量の他に、受光した画像のピーク光量等を測定光量の基準にしても良い。
【００３３】
テスト発光により、撮影光源１４の光量が決定されると、制御部８１はモニタ８に「撮影ＯＫ」の表示をする。検者は、「撮影ＯＫ」の表示を確認すると、検者は撮影スイッチ８３が押す。制御部８１は撮影開始信号を発して撮影を実行する。制御部８１は挿脱機構６６を駆動することによりダイクロイックミラー２４及び平行板ガラス２３を光路から離脱させると共に、ソレノイド２６を駆動することにより赤外フィルタ１２を光路から離脱し、撮影光源１４を設定された光量（電圧）発光する。撮影光源１４の発光により、眼底は可視光により照明され、眼底からの反射光は対物レンズ２５、孔あきミラー２２の開口部、撮影絞り３１、フォーカシングレンズ３２、結像レンズ３３、ダイクロイックミラー３４を経てＣＣＤカメラ３５に結像する。モニタ８の表示は画像処理部８０によってＣＣＤカメラ３５で撮影されたカラーの眼底画像に切換えられる。ＣＣＤカメラ３５で撮影された眼底像は、画像処理部８０が持つ画像メモリに記憶される。
【００３４】
上記実施の形態では、ＣＣＤカメラ３５でテスト発光時の眼底からの赤外反射光を受光したが、ＣＣＤカメラ３５の代わりに観察用ＣＣＤカメラ３８で受光して反射光量を得ても良い。また、ＣＣＤカメラ３５、観察用ＣＣＤカメラ３８の代わりに、新たに赤外センサを眼底観察・撮影光学系３０に設けても良い。
【００３５】
本実施の形態では、アライメント、フォーカス合わせ後に、赤外のテスト発光により適正な発光量を設定しているので、被検者に眩しい思いをさせることなく、撮影光源１４のの照明光量を適正に設定することができる。
【図面の簡単な説明】
【００３６】
【図１】本発明に係る無散瞳型の眼底カメラの構成図である。
【図２】撮影部に収納される光学系及び制御系の概略構成図である。
【図３】光路分岐部材によって生じる光軸ずれと、平行板ガラスによる光軸ずれの補正を説明する図である。
【図４】前眼部観察用のＣＣＤカメラで撮像された前眼部像を示す図である。
【図５】アライメントの位置ずれの範囲を説明する図である。
【図６】モニタに表示されたフォーカス指標像及び眼底画像を示す図である。
【図７】光量測定のフローチャートを示す図である。
【符号の説明】
【００３７】
９  メモリ９
１０  照明光学系
１２  赤外フィルタ
１４  撮影光源
２４  ダイクロイックミラー
２６  ソレノイド
３０  眼底観察・撮影光学系
３２  フォーカシングレンズ
３５  ＣＣＤカメラ
３８  ＣＣＤカメラ
３９  移動機構
４０  フォーカス指標投影光学系
４２  スリット指標板
５０  アライメント指標投影光学系
６０  前眼部観察光学系
６５  ＣＣＤカメラ
８０  画像処理部
８１  制御部
【図１】
2005279154.tif 000003
【図２】
2005279154.tif 000004
【図３】
2005279154.tif 000005
【図４】
2005279154.tif 000006
【図５】
2005279154.tif 000007
【図６】
2005279154.tif 000008
【図７】
2005279154.tif 000009